(57)【要約】      （修正有）【課題】回転する扉が胴壁の直前に至った時に回転する扉と胴壁の間に当該障害物が挟まった場合の事故を防止する回転扉胴壁安全機構を提供する。【解決手段】固定扉４ａに扉３の回転方向３ａに対して同一方向にスライドするスライド壁４ｂを設けスライド壁４ｂの端には接触バー４ｃを設けこの接触バーは障害物８により押圧されると後退しスイッチ４ｄをオンし、スライド壁駆動機構１２により、スライド壁を扉の回転方向に固定壁の中へスライドして入り込むと同時に扉の回転を緊急停止する信号を回転扉機構に与えて扉の回転を緊急停止することにより回転する扉と胴壁の間に挟まれて通行人が怪我することの防止又は物が挟まれて損傷する事故を防止する。【選択図】図１
2005290955.tif 000002
【特許請求の範囲】
【請求項１】
建物の出入り口に建物の外壁が接続した出入り口通路の中央に設置する回転自在の複数枚の扉にて構成される回転扉機構において外壁の端に接続する回転扉機構の胴壁を構成する部品として固定壁と扉の回転方向に対して同一方向にレールに沿ってスライドすることが可能なスライド壁を設けてこのスライド壁の付属機構としてスライド壁の端には接触バーを設けてこの接触バーは通行人あるいは物の障害物が押圧すると後退してスイッチをオンにすることによりスライド壁駆動機構の伝動モータが回転し歯付ベルトがリングを回しリングがアームを扉回転方向に回しアームの端に接続するジョイントがスライド壁に接続してスライド壁が扉の回転方向に固定壁の中へスライドして入り込むと同時に扉の回転を緊急停止する信号を回転扉機構に与えて扉の回転を緊急停止することにより回転する扉と胴壁の間に挟まれて通行人が怪我することを防止又は物が挟まれて損傷することを防止することを特徴とする回転扉胴壁安全機構。
【発明の詳細な説明】
【技術分野】
【０００１】  本発明は、建物の出入り口に設置した回転扉機構において、回転する扉と胴壁の間に挟まれて通行人が怪我することを防止又は物が挟まれて損傷することを防止することを特徴とする回転扉胴壁安全機構に関するものである。
【背景技術】
【０００２】  図９は、従来の１実施例の回転扉機構の天井部分を除いた概略平面図である。回転扉の軸２を中心に直角に交わる４枚の扉３で構成され、床６、外壁７で囲まれた出入口の中央に設置される。扉回転エリア５の円周４分の１程度の幅の胴壁４中央は、外壁７の出入口の左右に接続する。扉３回転方向側胴壁４の入口側には、通行人や物の障害物（以下「当該障害物」という）が扉３と胴壁４に挟まれるという事故が発生することを防止するための安全対策として、当該障害物を感知する赤外線センサー等（以下「当該センサー」という）１０を胴壁の付近に複数箇所設けて、赤外線センサー等監視エリア（以下「当該センサー監視エリア」という）１０ａが当該障害物を感知したときには、扉３の回転を緊急停止する方法が一般的である。【０００３】  しかし、胴壁の付近に当該センサーを複数箇所設置するという従来の方法は、当該センサーが当該障害物を感知できない死角のエリアの存在や感知ミスにより、通行人が回転する扉３と胴壁４の間に挟まれて大怪我をしたり死亡したりして大事故に至る場合や物を損傷する事故がある。また、当該センサーが当該障害物を感知しても回転扉機構の大型化による自重の増大により扉３を急停止することができない場合や、機械的には急停止が可能であっても回転する扉が急停止することで通行人が進行方向の扉３にぶつかることを回避するために扉３の回転を急停止しないという多少の遊びが必要である。
【発明の開示】
【発明が解決しようとする課題】
【０００４】  解決しようとしている問題点は、胴壁４の付近に当該障害物を感知するための当該センサーを複数箇所設置する従来の方法は、当該センサーが当該障害物を感知できない死角エリアの存在や感知ミスにより、通行人が回転する扉３と胴壁４の間に挟まれて大怪我をしたり死亡したりして大事故に至る場合や物を損傷する事故がある。また、当該センサーが当該障害物を感知しても回転扉機構の大型化による自重の増大により扉３を急停止することができない場合や、機械的には急停止が可能であっても通行人が進行方向の扉３にぶつかることを回避するために扉３の回転を急停止しないという多少の遊びが必要である。これらの原因から、特に、回転する扉が胴壁の直前に至った時に回転する扉と胴壁の間に当該障書物が挟まった場合の事故を防止することは従来の方法では非常に難しい。
【課題を解決するための手段】
【０００５】  請求項１記載の発明に係る回転扉胴壁安全機構は建物の出入り口に建物の外壁が接続した出入り口通路の中央に設置する回転自在の回転扉において外壁の端に設けた回転扉機構の胴壁を構成する部品として固定壁と扉の回転方向に対して同一方向にレールに沿ってスライドすることが可能なスライド壁を設けこのスライド壁の付属機構としてスライド壁の端には接触バーを設けこの接触バーは当該障害物により押圧すると後退しスイッチをオンにすることでスライド壁駆動機構の伝動モータが回転し歯付ベルトがリングを回転しリングがアームを扉回転方向に回しアームの両端に接続するジョイントがスライド壁に接続してスライド壁が扉の回転方向に固定壁の中へスライドして入り込むと同時に扉の回転を緊急停止する信号を回転扉機構に与えて扉の回転を緊急停止することにより回転する扉と胴壁の間に挟まれて通行人が怪我することの防止又は物が挟まれて損傷する事故を防止することを特徴とする回転扉胴壁安全機構を備えたものである。
【発明の効果】
【０００６】  当該障害物が回転する扉と胴壁の間に挟まれたことを当該センサーが感知できなかった場合や回転する扉が胴壁の直前に至った瞬間に当該障害物が挟まれた場合においても、当該障害物が接触バーを押圧すると後退しスイッチをオンすることで、スライド壁駆動機構が働いてスライド壁が胴壁の長さの２分の１程度までスライドして後退すると同時に扉の回転を緊急停止する信号を回転扉機構に与えて扉の回転を緊急停止することにより従来の問題点を解決し、通行人の怪我や物の損害を確実に防止できるので、従来の方法による安全対策上の問題点の補完的な効果がある。
【発明を実施するための最良の形態】  従来の安全対策上の技術の補完的な技術として、回転扉機構の安全対策を確実なものとするものである。
【実施例１】
【０００７】  図５は、本発明の１実施の形態を示す床６に垂直な回転扉の軸２周りに４枚の扉３が直角に接続し、そのうちの対向する２枚の扉３が外壁７に平行に位置した状態で、残り２枚の扉が外壁７に直角に位置した状態で、回転扉の軸２の上端には半径１１ｒよりなる天井１１、スライド壁駆動機構１２（１２ａ、１２ｂ、１２ｃ、１２ｄ、１２ｅよりなる）、胴壁４（４ａ、４ｂ、４ｃ、４ｄ、４ｅ、４ｆよりなる）、当該センサー１０、当該センサー監視エリア１０ａで構成した回転扉機構１の概略正面図である。【０００８】  扉３が矢印３ａの方向に回転し、扉３の回転に合わせて回転方向に通行人が扉回転エリアに進行して回転扉の軸２と胴壁４の間の通路を通過することができる。当該センサー監視エリア１０ａが障害物を感知した時には扉３の回転が緊急停止する。または、障害物による接触バー４ｃの押圧で接触バー４ｃが後退しスイッチ４ｄをオンすることによりスライド壁駆動機構１２が働いてスライド壁４ｂが接触バー４ｃとともに扉３の回転方向に固定壁４ａの中へスライドして入り込むと同時に扉３の回転を緊急停止することで前述の事故を防止する。【０００９】  図４は、前記図５から回転扉の軸２及び扉３を除いた胴壁４を回転扉の軸２の方向から見た図で、扉３回転方向側天井１１の胴壁の端には、当該センサー１０及び当該センサー監視エリア１０ａを図示している。当該センサー監視エリア１０ａが障害物を感知した時は前述したように扉３の回転が緊急停止する。また、接触バー４ｃを障害物が押圧した時には、前述したようにスライド壁駆動機構１２が働いてスライド壁４ｂが接触バー４ｃとともに後退して固定壁４ａの中へ入り込むとともに、扉３の回転を緊急停止することで前述の事故を防止する。【００１０】  図１は、同実施の形態を示す回転扉機構１の天井１１及びスライド壁駆動機構１２を省略した概略の平面図である。回転扉の軸２を中心に、４枚の扉３が直角に接続し、その４枚の扉３が胴壁４の端に位置した状態で、胴壁４の中央が外壁７に接続して、胴壁４は固定壁４ａ、スライド壁４ｂ、接触バー４ｃ、スイッチ４ｄ、レール４ｅで構成され、床６の扉回転エリア５に設置する。扉３は、矢印３ａの方向に回転扉の軸２を中心に回転し、通行人は扉３の回転に合わせて扉回転エリア５に進み、扉３の回転スピードに合わせて進行することにより回転扉機構１を通過できる。【００１１】  当該センサー監視エリア１０ａが障害物を感知した時には前述したように扉３の回転が緊急停止する。または、前述したように障害物による接触バー４ｃの押圧で接触バー４ｃが後退しスイッチ４ｄをオンすることによりスライド壁駆動機構１２が働いてスライド壁４ｂが接触バー４ｃとともに扉３の回転方向に固定壁４ａの中へスライドして入り込むと同時に扉３の回転を緊急停止することで前述の事故を防止する。【００１２】  図２は、扉３回転方向側入口の扉３と接触バー４ｃとの間に人の手８（当該障害物）が挟まった図で、前述したように障害物による接触バー４ｃの押圧で接触バー４ｃが後退しスイッチ４ｄをオンすることによりスライド壁駆動機構１２が働いてスライド壁４ｂが接触バー４ｃとともに扉３の回転方向に固定壁４ａの中へスライドして入り込むと同時に扉３の回転を緊急停止することで前述の事故を防止する。【００１３】  図３は、一方の胴壁４付近の部分破断拡大図である。胴壁４の中央が外壁７に接続して、胴壁４は固定壁４ａ、スライド壁４ｂ、接触バー４ｃ、スイッチ４ｄ、レール４ｇで構成している。扉３と接触バー４ｃとの間に当該障害物が挟まった時には、前述したように障害物による接触バー４ｃの押圧でスイッチ４ｄをオンすることによりスライド壁駆動機構１２が働いてスライド壁４ｂが接触バー４ｃとともに扉３の回転方向に固定壁４ａの中へスライドして入り込むと同時に扉３の回転を緊急停止することで前述の事故を防止する。【００１４】  図６は、スライド壁４ｂ、接触バー４ｃ、スイッチ４ｄ、戸車４ｅ、リンク４ｆを主に描いた拡大概略図である。スライド壁４ｂに接触バー４ｃがリンク４ｆにより支持されている。当該障害物が接触バー４ｃをスライド壁４ｂの方向に押圧するとスイッチ４ｄがオンになることにより、スライド壁駆動機構１２が働いてスライド壁４ｂが接触バー４ｃとともに扉３の回転方向に固定壁４ａの中へスライドして入り込むと同時に扉３の回転を緊急停止することで前述の事故を防止する。【００１５】  図７は、スライド壁駆動機構１２と胴壁４を主に説明した図である。スライド壁駆動機構１２は、伝動モータ１２ａ、歯付ベルト１２ｂ、リング１２ｃ、アーム１２ｄ、ジョイント１２ｅにて構成される。当該障害物が接触バー４ｃをスライド壁４ｂの方向に押圧するとスイッチ４ｄがオンになることにより、伝動モータ１２ａが回転して歯付ベルト１２ｂに伝達し、リング１２ｃが回転するとアーム１２ｄが回転しジョイント１２ｅに接続している左右２枚のスライド壁４ｂが接触バー４ｃとともに扉３の回転方向に固定壁４ａの中へスライドして入り込むと同時に扉３の回転を緊急停止することで前述の事故を防止する。
図８は、スライド壁Ａ−Ａ切断線での断面図で、ジョイント付近部分拡大図である。アーム１２ｄはジョイント１２ｅによってスライド壁４ｂに連結する。
【図面の簡単な説明】
【００１６】
【図１】本発明の１実施の形態を示す回転扉機構の天井及びスライド壁駆動機構を省略した概略の平面図である。
【図２】同実施の形態を示す回転扉機構の天井及びスライド壁駆動機構を省略した概略の平面図で当該障害物（人の手）が接触バーを押圧した時にスライド壁がスライドした後の概略平面図である。
【図３】同実施の形態を示す一方の胴壁及びスライド壁駆動機構の１部分を説明した部分破断拡大図である。
【図４】同実施の形態を示す回転扉の軸の位置から一方の胴壁方向を見た概略立面図で、扉を省略している。
【図５】同実施の形態を示す建物の入口方向からの４枚の扉のうち対向する２枚の扉が外壁に平行に位置し、残り２枚の対向する扉が外壁に直角に位置した概略正面図である。
【図６】同実施の形態を示すスライド壁、接触バー、スイッチ、リンク、戸車を主に説明した概略図である。
【図７】同実施の形態を示す胴壁及びスライド機構を主に説明した図である。
【図８】同実施の形態を示す図６のＡ−Ａ断面図のジョイント付近部分拡大図である。
【図９】従来の技術による回転扉機構の天井を除いた１実施平面概略図である。
【符号の説明】
【００１７】  １    回転扉機構（回転扉機構全体）
２    回転扉の軸（回転する扉が接続している軸）
３    扉
３ａ  扉の回転方向
４    胴壁（４ａ、４ｂ、４ｃ、４ｄ、４ｅ、４ｆよりなる）
４ａ  固定壁（胴壁のうちで床に固定している壁）
４ｂ  スライド壁（胴壁のうちでレールに沿ってスライドすることができる壁）
４ｃ  接触バー（リンクによってスライド壁に接続している）
４ｄ  スイッチ（接触バーの後退によりスイッチがオンになる）
４ｅ  戸車（スライド壁の下部と上部に付く）
４ｆ  リンク（スライド壁と接触バーを接続し、可動）
４ｇ  レール（胴壁の下部及び上部にあり、スライド壁がレールに沿ってスライドする）
５    扉回転エリア
６    床
７    外壁
８    通行人や物の障害物
９ａ  扉間の範囲（回転する扉間の外周の距離）
９ｂ  扉間の範囲の２分の１（回転する扉間の外周の距離の２分の１）
１０    赤外線センサー等（赤外線センサー、超音波センサー等）
１０ａ  赤外線センサー等監視エリア
１１    天井
１１ｒ  天井の半径
１２    スライド壁駆動機構（１２ａ、１２ｂ、１２ｃ、１２ｄ、１２ｅよりなる）
１２ａ  伝動モータ
１２ｂ  歯付ベルト
１２ｃ  リング
１２ｄ  アーム（リングに接続）
１２ｅ  ジョイント（アームとスライド壁を接続）
【図１】
2005290955.tif 000003
【図２】
2005290955.tif 000004
【図３】
2005290955.tif 000005
【図４】
2005290955.tif 000006
【図５】
2005290955.tif 000007
【図６】
2005290955.tif 000008
【図７】
2005290955.tif 000009
【図８】
2005290955.tif 000010
【図９】
2005290955.tif 000011